(57)【特許請求の範囲】
【請求項１】
放送事業者の会員情報を管理する顧客管理手段およびトランザクション管理手段を備えた番組視聴管理システムにおいて、通信事業者のネットワークを介して、特定の会員に放送事業者の番組告知を行う番組告知方法であって、
前記トランザクション管理手段が、前記放送事業者へ、番組告知を行いたい顧客を指定する顧客属性の選択肢を提供するステップと、
前記トランザクション管理手段が、前記放送事業者によって選択された顧客属性を受信するステップと、
前記トランザクション管理手段が、前記受信ステップで受信された前記放送事業者によって選択された顧客属性に基づいて、前記放送事業者の会員情報を検索するために、前記会員情報に含まれる特定項目を指定した検索要求を作成する作成ステップと、
前記顧客管理手段が、前記作成ステップで作成された前記検索要求に基づいて、前記会員情報のうち前記特定項目に該当する前記特定の会員を抽出する抽出ステップと、
前記トランザクション管理手段が、前記抽出ステップで抽出された前記特定の会員の会員数を前記放送事業者に通知するステップと、
前記トランザクション管理手段が、前記抽出ステップで抽出された前記特定の会員へ送信する告知内容を含む送信依頼を前記放送事業者から受信するステップと、
前記トランザクション管理手段が、送信依頼の受信に応答して前記抽出ステップで抽出された前記特定の会員の端末に、前記通信事業者の前記ネットワークを介して、前記送信依頼に含まれる告知内容を送信する送信ステップと
を有することを特徴とする番組告知方法。
【請求項２】
前記トランザクション管理手段が、前記抽出ステップで抽出された前記特定の会員の会員数に基づいて、番組告知に要する料金を算出する算出ステップを有し、
前記特定の会員の会員数を前記放送事業者に通知する前記ステップは、前記トランザクション管理手段が、前記算出ステップで算出された前記料金を、さらに前記放送事業者に通知することを含むことを特徴とする請求項１に記載の番組告知方法。
【請求項３】
前記送信ステップは、前記トランザクション管理手段が、前記告知内容をテキスト文書に変換し、電子メール形式で送信することを含むことを特徴とする請求項１または２に記載の番組告知方法。
【請求項４】
前記送信ステップは、前記トランザクション管理手段が、前記告知内容をＨＴＭＬ文書に変換し、該ＨＴＭＬ文書が格納されたＵＲＬを送信することを含むことを特徴とする請求項１または２に記載の番組告知方法。
【請求項５】
前記送信ステップは、前記トランザクション管理手段が、前記告知内容を音声に変換し、送信することを含むことを特徴とする請求項１または２に記載の番組告知方法。
【請求項６】
通信事業者のネットワークを介して、特定の会員に放送事業者の番組告知を行う番組視聴管理システムにおいて、
前記放送事業者によって選択された顧客属性に基づいて、前記放送事業者の会員情報を検索するために、前記会員情報に含まれる特定項目を指定した検索要求を作成するトランザクション管理手段と、
前記放送事業者の前記会員情報を管理し、前記トランザクション管理手段で作成された前記検索要求に基づいて、前記会員情報のうち前記特定項目に該当する前記特定の会員を抽出する顧客管理手段とを備え、
前記トランザクション管理手段は、
前記放送事業者へ、番組告知を行いたい顧客を指定する顧客属性の選択肢を提供する手段と、
前記放送事業者によって選択された顧客属性を受信する手段と、
前記顧客管理手段で抽出された前記特定の会員の会員数を前記放送事業者に通知する特定会員数通知手段と、
前記顧客管理手段で抽出された前記特定の会員へ送信する告知内容を含む送信依頼を受信する手段と、
送信依頼の受信に応答して前記顧客管理手段で抽出された前記特定の会員の端末に、前記通信事業者の前記ネットワークを介して、前記送信依頼に含まれる告知内容を送信する告知内容送信手段と
を含むことを特徴とする番組視聴管理システム。
【請求項７】
前記トランザクション管理手段は、
前記顧客管理手段で抽出された前記特定の会員の会員数に基づいて、番組告知に要する料金を算出する算出手段を含み、
前記特定会員数通知手段は、該算出手段で算出された前記料金を、さらに前記放送事業者に通知することを特徴とする請求項６に記載の番組視聴管理システム。
【請求項８】
前記トランザクション管理手段は、
前記告知内容をテキスト文書に変換する変換手段を含み、
前記告知内容送信手段は、前記変換手段で変換された前記テキスト文書を電子メール形式で送信することを特徴とする請求項６または７に記載の番組視聴管理システム。
【請求項９】
前記トランザクション管理手段は、
前記告知内容をＨＴＭＬ文書に変換する変換手段を含み、
前記告知内容送信手段は、前記ＨＴＭＬ文書が格納されたＵＲＬを送信することを特徴とする請求項６または７に記載の番組視聴管理システム。
【請求項１０】
前記トランザクション管理手段は、
前記告知内容を音声に変換する変換手段を含み、
前記告知内容送信手段は、前記音声を送信することを特徴とする請求項６または７に記載の番組視聴管理システム。
【発明の詳細な説明】
【０００１】
【発明の属する技術分野】
本発明は、番組告知方法および番組視聴管理システムに関し、より詳細には、通信ネットワークを介して放送事業者の番組告知を行うための番組告知方法および番組視聴管理システムに関する。
【０００２】
【従来の技術】
従来、地上波放送の放送事業者が行う番組の告知は、番組を提供するチャネルで事前に広告の形で放送されている。また、新聞や雑誌などの媒体を通じて告知されているのに加え、放送事業者のＷＷＷ（World Wide Web）に掲載して、視聴者の利用の便を図っている。一方、衛星放送事業者やＣＡＴＶ放送事業者においては、番組告知専用のチャネルを設け、番組の提供を受ける事業者の広告などを放送している。
【０００３】
地上波放送とは異なり、衛星放送やＣＡＴＶ放送においては、受信のための設備と顧客登録を必要としている。従って、顧客登録の際に、顧客の属性をある程度把握することができる。また、受信設備からの番組視聴の要求を受信し、その記録を統計処理する事により、顧客の属性を知ることもできる。
【０００４】
【発明が解決しようとする課題】
しかしながら、従来の番組告知の方法では、告知する番組の内容と顧客の属性とを考慮して、選択的に視聴者に告知することができないという問題があった。すなわち、トレンディ・ドラマの番組告知であれば、若年層に対して告知を行い、時代劇の番組告知であれば、熟年から老年層に対して告知を行うなどの方法をとることができなかった。
【０００５】
本発明は、このような問題に鑑みてなされたもので、その目的とするところは、放送事業者が、番組告知を行いたい顧客の属性を指定することができ、顧客の属性に応じた特定の顧客に番組告知を行うことができる番組告知方法および番組視聴管理システムを提供することにある。
【０００６】
【課題を解決するための手段】
本発明は、このような目的を達成するために、請求項１に記載の発明は、放送事業者の会員情報を管理する顧客管理手段およびトランザクション管理手段を備えた番組視聴管理システムにおいて、通信事業者のネットワークを介して、特定の会員に放送事業者の番組告知を行う番組告知方法であって、前記トランザクション管理手段が、前記放送事業者へ、番組告知を行いたい顧客を指定する顧客属性の選択肢を提供するステップと、前記トランザクション管理手段が、前記放送事業者によって選択された顧客属性を受信するステップと、前記トランザクション管理手段が、前記受信ステップで受信された前記放送事業者によって選択された顧客属性に基づいて、前記放送事業者の会員情報を検索するために、前記会員情報に含まれる特定項目を指定した検索要求を作成する作成ステップと、前記顧客管理手段が、前記作成ステップで作成された前記検索要求に基づいて、前記会員情報のうち前記特定項目に該当する前記特定の会員を抽出する抽出ステップと、前記トランザクション管理手段が、前記抽出ステップで抽出された前記特定の会員の会員数を前記放送事業者に通知するステップと、前記トランザクション管理手段が、前記抽出ステップで抽出された前記特定の会員へ送信する告知内容を含む送信依頼を前記放送事業者から受信するステップと、前記トランザクション管理手段が、送信依頼の受信に応答して前記抽出ステップで抽出された前記特定の会員の端末に、前記通信事業者の前記ネットワークを介して、前記送信依頼に含まれる告知内容を送信する送信ステップとを有することを特徴とする。
【０００７】
この方法によれば、放送事業者は、番組告知を行いたい顧客の属性を指定することができ、通信事業者のネットワークを介して、特定の顧客に番組告知を行うことができる。
【０００８】
請求項２に記載の発明は、請求項１において、前記トランザクション管理手段が、前記抽出ステップで抽出された前記特定の会員の会員数に基づいて、番組告知に要する料金を算出する算出ステップを有し、前記特定の会員の会員数を前記放送事業者に通知する前記ステップは、前記トランザクション管理手段が、前記算出ステップで算出された前記料金を、さらに前記放送事業者に通知することを含むことを特徴とする。
【０００９】
請求項３に記載の発明は、請求項１または２に記載の前記送信ステップは、前記トランザクション管理手段が、前記告知内容をテキスト文書に変換し、電子メール形式で送信することを含むことを特徴とする。
【００１０】
請求項４に記載の発明は、請求項１または２に記載の前記送信ステップは、前記トランザクション管理手段が、前記告知内容をＨＴＭＬ文書に変換し、該ＨＴＭＬ文書が格納されたＵＲＬを送信することを含むことを特徴とする。
【００１１】
請求項５に記載の発明は、請求項１または２に記載の前記送信ステップは、前記トランザクション管理手段が、前記告知内容を音声に変換し、送信することを含むことを特徴とする。
【００１２】
請求項６に記載の発明は、通信事業者のネットワークを介して、特定の会員に放送事業者の番組告知を行う番組視聴管理システムにおいて、前記放送事業者によって選択された顧客属性に基づいて、前記放送事業者の会員情報を検索するために、前記会員情報に含まれる特定項目を指定した検索要求を作成するトランザクション管理手段と、前記放送事業者の前記会員情報を管理し、前記トランザクション管理手段で作成された前記検索要求に基づいて、前記会員情報のうち前記特定項目に該当する前記特定の会員を抽出する顧客管理手段とを備え、前記トランザクション管理手段は、前記放送事業者へ、番組告知を行いたい顧客を指定する顧客属性の選択肢を提供する手段と、前記放送事業者によって選択された顧客属性を受信する手段と、前記顧客管理手段で抽出された前記特定の会員の会員数を前記放送事業者に通知する特定会員数通知手段と、前記顧客管理手段で抽出された前記特定の会員へ送信する告知内容を含む送信依頼を受信する手段と、送信依頼の受信に応答して前記顧客管理手段で抽出された前記特定の会員の端末に、前記通信事業者の前記ネットワークを介して、前記送信依頼に含まれる告知内容を送信する告知内容送信手段とを含むことを特徴とする。
【００１３】
この構成によれば、放送事業者は、番組告知を行いたい顧客の属性を指定することができ、通信事業者のネットワークを介して、特定の顧客に番組告知を行うことができる。
【００１４】
請求項７に記載の発明は、請求項６に記載の前記トランザクション管理手段は、前記トランザクション管理手段は、前記顧客管理手段で抽出された前記特定の会員の会員数に基づいて、番組告知に要する料金を算出する算出手段を含み、前記特定会員数通知手段は、該算出手段で算出された前記料金を、さらに前記放送事業者に通知することを特徴とする。
【００１５】
請求項８に記載の発明は、請求項６または７に記載の前記トランザクション管理手段は、前記告知内容をテキスト文書に変換する変換手段を含み、前記告知内容送信手段は、前記変換手段で変換された前記テキスト文書を電子メール形式で送信することを特徴とする。
【００１６】
請求項９に記載の発明は、請求項６または７に記載の前記トランザクション管理手段は、前記告知内容をＨＴＭＬ文書に変換する変換手段を含み、前記告知内容送信手段は、前記ＨＴＭＬ文書が格納されたＵＲＬを送信することを特徴とする。
【００１７】
請求項１０に記載の発明は、請求項６または７に記載の前記トランザクション管理手段は、前記告知内容を音声に変換する変換手段を含み、前記告知内容送信手段は、前記音声を送信することを特徴とする。
【００１８】
【発明の実施の形態】
以下、図面を参照しながら本発明の実施形態について詳細に説明する。
【００１９】
図１は、本発明の一実施形態にかかる番組視聴管理システムを使用した番組告知サービスを説明するための概略図である。本実施形態にかかるサービス提供形態は、会員１１０と、通信事業者と、放送事業者と、管理センター１４０とから構成されている。会員１１０は、放送事業者のカスタマセンター１２０に会員登録を行い、携帯電話１１１の電話番号またはメールアドレスなども登録する。また、会員１１０は、放送事業者の放送を受信するためのセットトップボックス（以下、ＳＴＢという。）１１２を有している。会員１１０は、放送局１３０から放送衛星１３１を介して配信される番組を、ＳＴＢ１１２を介してテレビモニタ１１３で視聴している。
【００２０】
管理センター１４０は、本発明にかかる番組視聴管理システムを備え、番組視聴管理システムは、会員１１０に関する会員情報を管理する顧客管理システム（以下、ＳＭＳという。）１４１と、番組告知などのサービスを提供するトランザクション管理システム（以下、ＴＭＳという。）１４２とから構成されている。管理センター１４０は、カスタマセンター１２０からの会員情報を、ＳＭＳ１４１に格納する。ＴＭＳ１４２は、放送局１３０からの番組告知依頼を受信すると、ＳＭＳ１４１の会員情報を検索して、選択された会員１１０の携帯電話１１１に番組告知を行う。
【００２１】
なお、本実施形態においては、携帯電話端末への番組告知を例に説明するが、インターネットを介して汎用コンピュータに番組告知を行ったり、一般電話網を介して音声ガイダンスによって番組告知を行うことも可能である。
【００２２】
また、本実施形態においては、ＴＭＳ１４２の提供するサービスは、番組告知を例に説明するが、例えば、広告配信を行ったり、アンケート調査などを行うことも可能である。
【００２３】
図２は、本発明の一実施形態にかかる番組視聴管理システムにおける顧客管理システムの構成を示したブロック図である。顧客管理システム（ＳＭＳ）１４１は、サーバ２００と顧客データベース２１０とから構成されている。サーバ２００は、サーバ全体の制御を行う中央処理装置（ＣＰＵ）２０１と、プログラムが格納されたＲＯＭ２０２と、プログラムの実行に必要な一時データ格納領域を提供するＲＡＭ２０３とを備え、これらがバス２０４を介して接続されている。また、サーバ２００は、通信ネットワークとの接続を行う通信装置２０５と、顧客データベース２１０との間で情報のやり取りを行うディジタル・インタフェース２０６と、システム管理のための表示画面を生成する画像出力装置２０７とを備え、これらがバス２０４と介してＣＰＵ２０１に接続されている。
【００２４】
このような構成により、カスタマセンター１２０からの会員情報は、通信ネットワークと、通信装置２０５と、バス２０４とを介してＣＰＵ２０１に送られ、ＣＰＵ２０１は、会員情報をバス２０４と、ディジタル・インタフェース２０６とを介して顧客データベース２１０に格納する。
【００２５】
また、ＴＭＳ１４２からの検索要求も、通信ネットワークと、通信装置２０５と、バス２０４とを介してＣＰＵ２０１に送られ、ＣＰＵ２０１は、顧客データベース２１０を検索して検索結果を、ＴＭＳ１４２に返送する。
【００２６】
図３は、本発明の一実施形態にかかる顧客管理システムにおける顧客データベースに格納された会員情報を示した図である。顧客データベース２１０に格納された会員情報は、個人会員情報３０１と、法人会員情報３０２とから構成されている。会員情報は、番組視聴管理システムが提供する様々なサービスを受ける際の識別子として用いられる構成員ＩＤ３３１と、会員ごとの性別、生年月日などの構成員属性情報３３２と、サービスを受ける際のメールアドレス３３３と、サービスの提供の要否が示された適用サービス３３４とから構成されている。
【００２７】
図１に示した番組告知サービスにおいては、サーバ２００は、ＴＭＳ１４２からの検索要求に従って、適用サービス３３４から番組告知サービスの提供を受ける構成員を抽出し、さらに構成員属性情報３３２から検索要求に該当する構成員を抽出する。抽出された構成員の構成員ＩＤ３３１とメールアドレス３３３とが、サーバ２００からＴＭＳ１４２に返送される。
【００２８】
図４は、本発明の一実施形態にかかる番組視聴管理システムにおけるトランザクション管理システムの構成を示したブロック図である。トランザクション管理システム（ＴＭＳ）１４２は、サーバ２００と、放送事業者に対する課金情報が格納された課金ログデータベース４０１と、番組告知に添付されるアンケート情報などが格納されたアンケートデータベース４０２と、番組の一部の内容を画像データとして格納した画像データベース４０３と、番組告知に添付される広告情報などが格納された広告データベース４０４とから構成されている。サーバ２００の構成は、図２を参照して説明した。
【００２９】
図５は、本発明の一実施形態にかかる番組視聴管理システムを使用した番組告知サービスを説明するためのシーケンス図である。放送局１３０は、番組告知を行いたい会員の属性を指定して、ＴＭＳ１４２に対して番組告知依頼５０１（図６において後述する。）を送付する。ＴＭＳ１４２は、番組告知依頼５０１の中の属性情報５０２をＳＭＳ１４１に転送する。
【００３０】
ＳＭＳ１４１は、属性情報５０２に従って、顧客データベース２１０を検索する。ＳＭＳ１４１は、適用サービス３３４から番組告知サービスの提供を受ける構成員を抽出し、さらに構成員属性情報３３２から検索要求に該当する構成員を抽出して、サービスＩＤを付与して該当する件数を示す該当件数５０３をＴＭＳ１４２に返送する。ＴＭＳ１４２は、該当件数５０３から料金を算出して、該当件数料金表５０４（図７において後述する。）を放送局１３０に送信する。
【００３１】
放送局１３０は、該当件数料金表５０４の内容で、送信を依頼する場合は、番組告知内容を含む送信依頼５０５（図８において後述する。）をＴＭＳ１４２に送信する。ＴＭＳ１４２は、該当するサービスＩＤを付与して送付リスト要求５０６をＳＭＳ１４１に送信する。ＳＭＳ１４１は、サービスＩＤを基に抽出された構成員の構成員ＩＤ３３１とメールアドレス３３３とを含む送付リスト５０７を作成して、ＴＭＳ１４２に返送する。
【００３２】
ＴＭＳ１４２は、送付リスト５０７に基づいて、送信依頼５０５の番組告知内容からメールを作成し、送付リスト５０７のメールアドレス３３３の各々にメールを送信する。本実施形態においては、会員１１０の携帯電話１１１にメールを送信して番組告知を行う。ＴＭＳ１４２は、メール送信の結果から、放送事業者に対する課金ログを作成して、課金ログデータベース４０１に格納するとともに、送信確認通知５０８を放送局１３０に送信する。
【００３３】
図６は、本発明の一実施形態にかかる番組告知サービスにおける番組告知依頼画面を示した図である。番組告知依頼画面６００は、ＴＭＳ１４２が、番組告知サービスのためにＷＷＷ（World Wide Web）形式で画面を提供して、依頼手続きの便宜を図るためのものである。番組告知依頼画面６００は、ＴＭＳ１４２から放送局１３０に送信され、放送局１３０は、図５に示した番組告知依頼５０１を行うことができる。
【００３４】
番組告知依頼画面６００は、放送局１３０が、番組告知を行う対象を絞り込むための検索入力であり、顧客の年齢層、性別などの各項目ごとに入力を行う。ＴＭＳ１４２は、番組告知依頼画面６００に基づいて、属性情報５０２を作成し、ＳＭＳ１４１に送信する。
【００３５】
図７は、本発明の一実施形態にかかる番組告知サービスにおける該当件数料金表画面を示した図である。ＳＭＳ１４１は、属性情報５０２に従って、顧客データベース２１０を検索し、結果を該当件数５０３としてＴＭＳ１４２に通知する。ＴＭＳ１４２は、該当件数５０３から、該当件数結果７０１と料金を算出した結果である送信費用７０２とを、該当件数料金表画面７００に表示する。該当件数料金表画面７００は、ＴＭＳ１４２から放送局１３０に送信され、放送局１３０は、図５に示した該当件数料金表５０４として受信する。
【００３６】
図８は、本発明の一実施形態にかかる番組告知サービスにおける送信依頼画面を示した図である。送信依頼画面８００は、ＴＭＳ１４２が、番組告知サービスのためにＷＷＷ（World Wide Web）形式で画面を提供して、依頼手続きの便宜を図るためのものである。送信依頼画面８００は、ＴＭＳ１４２から放送局１３０に送信され、放送局１３０は、図５に示した送信依頼５０５を行うことができる。
【００３７】
送信依頼画面８００は、番組告知の告知時刻８０１と告知内容８０２を入力するための画面である。また、画像データベース４０３に格納された番組の一部の内容をビデオクリップとして、番組告知に添付する場合には、チェックボタン８０３にチェックを入れ、広告データベース４０４に格納された広告情報を添付する場合には、チェックボタン８０４にチェックを入れる。図６を参照して説明した番組告知依頼画面６００で番組告知を行う対象を絞り込んだ顧客に対して、番組告知が行われ、告知内容８０２が送信される。
【００３８】
さらに、アンケートデータベース４０２に格納されたアンケート用紙を、番組告知に添付し、アンケート調査を行うこともできる。
【００３９】
図９は、本発明の一実施形態にかかる番組告知サービスにおける番組告知受信画面を示した図である。ＴＭＳ１４２は、ＳＭＳ１４１から取得した送付リスト５０７に従って、送信依頼５０５の告知時刻８０１に、告知内容８０２を送信する。図９は、会員１１０の有する携帯電話１１１に、電子メール形式で番組告知を行った例である。
【００４０】
会員１１０は、図９（ａ）に示した初期画面から、受信メール一覧を選択すると、図９（ｂ）に示したＴＭＳ１４２からの電子メール形式の番組告知があったことを知ることができる。図９（ｃ）に示した番組告知は、図８に示した放送事業者が入力した告知内容８０２を表示している。
【００４１】
本実施形態においては、携帯電話端末に電子メール形式で番組告知を行っているが、インターネットを介してＨＴＭＬ（Hyper Text Markup Language）形式の文書に変換し、ＨＴＭＬ文書の格納されたＵＲＬ（Uniform Resource Locator）を通知することにより番組告知を行うこともできる。また、一般電話網または携帯電話網を介して、告知内容８０２を音声で告知することも可能である。
【００４２】
【発明の効果】
以上説明したように、本発明によれば、放送事業者は、放送事業者の会員情報から、番組告知を行いたい顧客の属性を指定することができ、通信事業者の通信ネットワークを介して番組告知を行うので、顧客の属性に応じた特定の顧客に番組告知を行うことができる。
【図面の簡単な説明】
【図１】本発明の一実施形態にかかる番組視聴管理システムを使用した番組告知サービスを説明するための概略図である。
【図２】本発明の一実施形態にかかる番組視聴管理システムにおける顧客管理システムの構成を示したブロック図である。
【図３】本発明の一実施形態にかかる顧客管理システムにおける顧客データベースに格納された会員情報を示した図である。
【図４】本発明の一実施形態にかかる番組視聴管理システムにおけるトランザクション管理システムの構成を示したブロック図である。
【図５】本発明の一実施形態にかかる番組視聴管理システムを使用した番組告知サービスを説明するためのシーケンス図である。
【図６】本発明の一実施形態にかかる番組告知サービスにおける番組告知依頼画面を示した図である。
【図７】本発明の一実施形態にかかる番組告知サービスにおける該当件数料金表画面を示した図である。
【図８】本発明の一実施形態にかかる番組告知サービスにおける送信依頼画面を示した図である。
【図９】本発明の一実施形態にかかる番組告知サービスにおける番組告知受信画面を示した図である。
【符号の説明】
１１０    会員
１１１    携帯電話
１１２    セットトップボックス（ＳＴＢ）
１１３    テレビモニタ
１２０    カスタマセンター
１３０    放送局
１３１    放送衛星
１４０    管理センター
１４１    顧客管理システム（ＳＭＳ）
１４２    トランザクション管理システム（ＴＭＳ）
２００    サーバ
２０１    中央処理装置（ＣＰＵ）
２０２    ＲＯＭ
２０３    ＲＡＭ
２０４    バス
２０５    通信装置
２０６    ディジタル・インタフェース（Ｄ−ＩＦ）
２０７    画像出力装置
２１０    顧客データベース
３０１    個人会員情報
３０２    法人会員情報
３３１    構成員ＩＤ
３３２    構成員属性情報
３３３    メールアドレス
３３４    適用サービス
４０１    課金ログデータベース
４０２    アンケートデータベース
４０３    画像データベース
４０４    広告データベース
６００    番組告知依頼画面
７００    該当件数料金表画面
７０１    該当件数結果
７０２    送信費用
８００    送信依頼画面
８０１    告知時刻
８０２    告知内容
【図１】
0004146102.tif 000002
【図２】
0004146102.tif 000003
【図３】
0004146102.tif 000004
【図４】
0004146102.tif 000005
【図５】
0004146102.tif 000006
【図６】
0004146102.tif 000007
【図７】
0004146102.tif 000008
【図８】
0004146102.tif 000009
【図９】
0004146102.tif 000010